(57)【要約】      （修正有）【課題】ユーザーに対し十分に酸素を供給することができる呼吸同調器を提供する。【解決手段】ユーザーの呼吸に合わせて当該ユーザーに酸素を供給する呼吸同調器１。前記ユーザーの吸気を検知する吸気センサ１５と、当該吸気センサ１５の検知に基づいて前記ユーザーの呼吸間隔を算出する算出部と、当該算出部により算出された前記ユーザーの呼吸間隔の変化に基づいて当該ユーザーの呼吸状態を判断する判断部とを備えている。前記ユーザーの呼吸間隔の変化が所定の閾値を複数回超える場合に、前記判断部は、当該ユーザーの呼吸に合わせた酸素供給が行われていないと判断する。【選択図】図１
2019213661.tif 000002
【特許請求の範囲】
【請求項１】
ユーザーの呼吸に合わせて当該ユーザーに酸素を供給する呼吸同調器（１）であって、
前記ユーザーの吸気を検知する吸気センサ（１５）と、
当該吸気センサ（１５）の検知に基づいて前記ユーザーの呼吸間隔を算出する算出部（２２）と、
当該算出部（２２）により算出された前記ユーザーの呼吸間隔の変化に基づいて当該ユーザーの呼吸状態を判断する判断部（２３）と
を備えており、
前記ユーザーの呼吸間隔の変化が所定の閾値を複数回超える場合に、前記判断部（２３）は、当該ユーザーの呼吸に合わせた酸素供給が行われていないと判断する、呼吸同調器（１）。
【請求項２】
ユーザーの呼吸に合わせた酸素供給が行われていないと判断部（２３）が判断した場合に、当該ユーザーに警報を発する警報部（１７，１８）を備えている、請求項１に記載の呼吸同調器（１）。
【請求項３】
ユーザーの呼吸に合わせた酸素供給が行われていないと判断部（２３）が判断した場合に、当該判断部（２３）は、当該ユーザーの呼吸に同調して酸素を供給する同調モードから、当該ユーザーに対して酸素を連続的に供給する連続流モードに切り替える、請求項１又は請求項２に記載の呼吸同調器（１）。
【請求項４】
前記連続流モードを所定の時間採用した後に、同調モードに切り替える、請求項３に記載の呼吸同調器（１）。
【請求項５】
同調モードから連続流モードへの切り替えを電磁弁（１４）の開閉操作で行う、請求項３又は請求項４に記載の呼吸同調器（１）。
【請求項６】
同調モードから連続流モードへの切り替えを、酸素の流路の切り替えで行う、請求項３又は請求項４に記載の呼吸同調器（１）。
【発明の詳細な説明】
【技術分野】
【０００１】
本開示は呼吸同調器に関する。さらに詳しくは、ユーザーの呼吸に同調して当該ユーザーに酸素を供給する呼吸同調器に関する。
【背景技術】
【０００２】
従来、例えば肺に疾患を有し当該肺の機能が低下している患者等（以下、「ユーザー」という）に酸素を供給する呼吸同調器がある。この呼吸同調器は、酸素ボンベに接続されるとともに、ユーザーが装着するカニューラに接続され、当該ユーザーの呼吸に同調して前記酸素ボンベからの酸素をカニューラを経由してユーザーに供給する。
【０００３】
呼吸同調器は、通常、ユーザーの吸気を検知する圧力センサを備えており、この圧力センサでユーザーの吸気開始時に大気圧から変化する圧力を検知し、この検知信号に基づいて当該ユーザーに酸素を供給している（例えば、特許文献１参照）。
【０００４】
従来の呼吸同調器では、ユーザーに対しより確実に酸素を供給するために、例えばカニューラがユーザーの鼻からはずれる等に起因して当該ユーザーの呼吸がセンサによって長時間（例えば、３０秒間）検知されない場合に、吸気に異常があり、その結果、呼吸に同調して酸素が供給されていない（同調エラー）として、警報を発していた。この警報により、正しく酸素が供給されていないことをユーザーに知らせている。
【０００５】
しかし、上記のように長時間連続して酸素が供給できなくなる場合以外に、以下の（１）〜（３）に例示するように、断続的に酸素を供給することができない場合がある。
【０００６】
（１）カニューラ装着の不備
ユーザーに酸素を供給するカニューラが正しく当該ユーザーの鼻等に装着されていないと、正確にユーザーの呼吸を検知することができないが、装着の仕方が中途半端な場合は、呼吸を検知できる場合と出来ない場合とが起こり得る。この場合、ユーザーの全ての呼吸に対して酸素を供給することができず、断続的な酸素供給となる。
【０００７】
（２）呼吸間隔の乱れ
呼吸同調器では、ユーザーの呼吸間隔、すなわち前回の呼吸開始時点から今回の呼吸開始時点までの時間によって、つぎの吸時間（空気を吸う時間）を仮定して酸素の供給時間を算出しているが、呼吸間隔が不規則になっている場合は、呼吸間隔が長いときの次の（仮定された）吸時間が長くなり、また、呼吸間隔が短いときの次の（仮定された）吸時間が短くなる等不規則になり、十分な酸素供給ができない場合がある。また、呼吸同調器では、それまでの呼吸間隔に基づいて次の呼吸開始時間を予測し、その予測されたタイミング付近以外では、省電力や誤動作防止の観点から、吸気を検知するためのセンサをオフにする仕様のものもあり、この場合、不安定な呼吸間隔であるとユーザーの呼吸に同調して酸素を供給することが難しい。センサがオフのときに吸気が開始されると、ユーザーの呼吸に同調した酸素供給をすることができない。
【０００８】
（３）口呼吸
運動時等において呼吸が苦しい場合、ユーザーは無意識のうちに口呼吸をするようになる。このため、鼻に挿入したカニューラで当該ユーザーの呼吸を検知することは難しく、その結果、ユーザーの現実の呼吸に同調して酸素を当該ユーザーに供給することができない。呼吸同調器としては、センサにより検知することができた呼吸だけしか把握することができないので、ユーザーが口呼吸をすると、呼吸間隔が短い中に不定期に長い呼吸間隔が表れているものと判断してしまう。  
【先行技術文献】
【特許文献】
【０００９】
【特許文献１】特開２００６−６５２１号公報
【発明の概要】
【発明が解決しようとする課題】
【００１０】
従来の呼吸同調器では、ユーザーの呼吸をできるだけ正確に検知することができるように、例えば、ノイズに強くなるように呼吸検知プログラムを改良することや、ユーザーに対し使用法の教育を強化することが主に行われていたが、酸素をより確実に供給できるようにすることが望まれている。
【００１１】
本開示は、ユーザーに対し十分に酸素を供給することができる呼吸同調器を提供することを目的としている。
【課題を解決するための手段】
【００１２】
本開示の呼吸同調器は、
（１）ユーザーの呼吸に合わせて当該ユーザーに酸素を供給する呼吸同調器であって、
前記ユーザーの吸気を検知する吸気センサと、
当該吸気センサの検知に基づいて前記ユーザーの呼吸間隔を算出する算出部と、
当該算出部により算出された前記ユーザーの呼吸間隔の変化に基づいて当該ユーザーの呼吸状態を判断する判断部と
を備えており、
前記ユーザーの呼吸間隔の変化が所定の閾値を複数回超える場合に、前記判断部は、当該ユーザーの呼吸に合わせた酸素供給が行われていないと判断する。
【００１３】
本開示の呼吸同調器では、ユーザーの呼吸間隔に着目し、ユーザーの吸気を検知する吸気センサの検知に基づいて算出部で当該ユーザーの呼吸間隔を算出し、算出されたユーザーの呼吸間隔に基づいて判断部で当該ユーザーの呼吸状態を判断している。そして、ユーザーの呼吸間隔の変化が所定の閾値を複数回超える場合に、当該ユーザーの呼吸に合わせた酸素供給が行われていないと判断する。
【００１４】
呼吸間隔の変化ないし変動は、前述したように、カニューラの装着不良やユーザーの口呼吸等で起こり得るが、呼吸間隔の変動が繰り返し複数回生じたりした場合等には呼吸同調器がユーザーの呼吸に同調して酸素が正しく供給されておらず、ユーザーは正しく酸素が供給された呼吸状態ではないと判断することができる。この場合、例えば呼吸同調器の表示部にエラー表示をする等してユーザーに警報を発したり、また、ユーザーの呼吸に同調して酸素を供給する同調モードから、当該ユーザーに対して酸素を連続的に供給する連続流モードに切り替えたりすることで、ユーザーに十分な酸素を供給することが可能となる。
【００１５】
なお、本明細書において、「同調モード」とは、ユーザーの吸気の検知に応じて所定の時間だけ酸素を当該ユーザーに供給する、呼吸同調器の通常の運転モードのことであり、また、「連続流モード」とは、ユーザーの吸気に関係なく、当該ユーザーに対し連続的に酸素を供給する運転モードのことである。  
【００１６】
（２）前記（１）の呼吸同調器において、ユーザーの呼吸に合わせた酸素供給が行われていないと判断部が判断した場合に、当該ユーザーに警報を発する警報部を備えていることが望ましい。この場合、ユーザーは発せられた警報に基づいて、例えばカニューラの装着状態を点検する等の対策を講じることができる。これにより、ユーザーの呼吸に同調した酸素供給が可能となり、当該ユーザーに十分な酸素を供給することができる。
【００１７】
（３）前記（１）又は（２）の呼吸同調器において、ユーザーの呼吸に合わせた酸素供給が行われていないと判断部が判断した場合に、当該判断部は、当該ユーザーの呼吸に同調して酸素を供給する同調モードから、当該ユーザーに対して酸素を連続的に供給する連続流モードに切り替えることができる。この場合、連続的に酸素を供給することで、ユーザーに対し十分な酸素を供給することができる。
【００１８】
（４）前記（３）の呼吸同調器において、前記連続流モードを所定の時間採用した後に、同調モードに切り替えることが望ましい。この場合、ユーザーの呼吸間隔の変化が運動等に起因していたときは、連続流モードにより所定の時間ユーザーに連続的に酸素を供給することで当該ユーザーの呼吸は安定すると考えられることから、前記所定の時間経過後に同調モードに切り替えることで、酸素の消費を節約することができる。
【００１９】
（５）前記（３）又は（４）の呼吸同調器において、同調モードから連続流モードへの切り替えを電磁弁の開閉操作で行うことができる。この場合、電磁弁の操作により簡単に同調モードから連続流モードへ切り替えることができる。
【００２０】
（６）前記（３）又は（４）の呼吸同調器において、同調モードから連続流モードへの切り替えを、酸素の流路の切り替えで行うことができる。この場合、酸素の流路の切り替えにより簡単に同調モードから連続流モードへ切り替えることができる。
【図面の簡単な説明】
【００２１】
【図１】本開示の呼吸同調器の一実施形態の構成の説明図である。
【図２】図１に示される制御部のブロック図である。
【図３】ユーザーの呼吸と呼吸同調器の酸素供給との関係を示す図である。
【図４】呼吸同調器による酸素供給の一例を示す模式図である。
【図５】図４に示される例における呼吸間隔の変化を説明する図である。
【図６】呼吸同調器による酸素供給の他の例を示す模式図である。
【図７】図６に示される例における呼吸間隔の変化を説明する図である。
【図８】呼吸同調器の運転例のフローチャートである。
【図９】呼吸同調器の制御で用いられる２種類の閾値を説明する図である。
【図１０】本開示の呼吸同調器の他の実施形態の構成の説明図である。
【図１１】本開示の呼吸同調器の更に他の実施形態の構成の説明図である。
【発明を実施するための形態】
【００２２】
以下、添付図面を参照しつつ、本開示の呼吸同調器を詳細に説明する。なお、本開示はこれらの例示に限定されるものではなく、特許請求の範囲によって示され、特許請求の範囲と均等の意味及び範囲内でのすべての変更が含まれることが意図される。
【００２３】
図１は、本開示の一実施形態に係る呼吸同調器１の構成を説明する図である。呼吸同調器１は、酸素ボンベ２からの酸素をカニューラ８を経由してユーザーに供給する装置であり、酸素取入口３と、酸素取出口４とを有している。酸素取入口３には竹の子型の接続具５が取り付けられており、一端が酸素ボンベ２の出口に設けられた減圧弁６に接続されたチューブ７の他端が当該接続具５に接続されている。一方、ユーザーが装着するカニューラ８の一端が酸素取出口４に取り付けられた竹の子型の接続具９に接続されている。
【００２４】
呼吸同調器１は、酸素の設定流量を調整するための流量調整器１０、メカニカルバルブ１１、呼吸同調器１の作動を制御する制御部１２、電源としての乾電池１３、電磁弁１４、ユーザーの吸気を検知する吸気センサとしての圧力センサ１５、リリーフ弁１６、運転情報等を表示部（図示せず）に表示するためのＬＥＤ１７、及びユーザーに対し警報を発するためのブザー１８を備えている。
【００２５】
酸素ボンベ２内に収容された高圧の酸素は、減圧弁６で減圧されてチューブ７及び接続具５を経由して流量調整器１０に流入する。流量調整器１０は供給酸素の流量（Ｌ／分）を調整するための要素であり、呼吸同調器１のユーザーが医者等の処方にしたがって所定の流量に設定する。流量調整器１０は酸素流量を変える比例弁としての機能を有しており、かかる流量調整器１０としては、例えば、複数の異なるサイズのオリフィスが周方向に沿って形成されたディスクを回転させ所定サイズのオリフィスを酸素流路に合わせることで流量設定を行うものを用いることができる。  
【００２６】
メカニカルバルブ１１は、電池切れにより電磁弁１４の操作ができなくなったときに、ユーザーが手動で開放して酸素の供給を確保するためのバルブである。したがって、通常運転時には、メカニカルバルブ１１は閉の状態にされている。  
【００２７】
電磁弁１４は、流量調整器１０により所定流量に設定された酸素をユーザーに供給する状態と、ユーザーの鼻に装着されたカニューラと圧力センサ１５とを連通させる状態とを切り換える。図１は、酸素の供給路は遮断されており、カニューラと圧力センサ１５が連通した状態の電磁弁１４を示している。圧力センサ１５は、ユーザーの吸気開始時に大気圧から変化する圧力を検知し、この検知信号を制御部１２に送信する。
【００２８】
制御部１２は、図２に示されるように、圧力センサ１５からの検知信号を受けて電磁弁１４の状態をユーザーに酸素を供給する状態に切り換え、又、逆にユーザーに酸素を供給する状態からカニューラと圧力センサ１５が連通した状態に切り換える操作信号等を発する駆動制御部２１と、算出部２２と、判断部２３とを有している。算出部２２は、圧力センサ１５の検知信号に基づいてユーザーの呼吸間隔、すなわち前回の吸気開始時点から今回の吸気開始時点までの間隔（時間）を算出する。また、判断部２３は、算出部２２により算出されたユーザーの呼吸間隔の変化に基づいて当該ユーザーの呼吸の状態を判断する。かかるユーザーの呼吸間隔の変化、及び、ユーザーの呼吸の状態については、後述する。
【００２９】
リリーフ弁１６は、ユーザーに酸素を供給するカニューラ８が折れ曲がる等して当該ユーザーに酸素が供給されず、呼吸同調器１内の酸素圧が所定値以上に上昇するのを防ぐために設けられており、設定圧を超えると当該リリーフ弁１６より酸素は大気に開放される。
【００３０】
呼吸同調器１は、圧力センサ１５により検知されるユーザーの呼吸に同調して酸素ボンベ２からの酸素を当該ユーザーに供給する。より詳細には、ユーザーの鼻に装着されたカニューラを介して圧力センサ１５は当該ユーザーが吸気を開始したときの圧力（負圧）を検知し、検知した信号を制御部１２に送信する。制御部１２は、受信した信号から前記圧力（負圧）が所定の閾値を超えていると判断すると、電磁弁１４を制御して、圧力センサ１５とカニューラとが連通している状態（図１参照）から、酸素ボンベ２からユーザーへ酸素が供給される状態に切り換える。
また、本実施形態に係る呼吸同調器１では、それまでの呼吸間隔（例えば、前回の呼吸間隔、又は、直近の所定数の呼吸間隔の平均値）に基づいて次の呼吸開始時間を予測し、その予測されたタイミング付近以外では、省電力や誤動作防止の観点から、吸気を検知するための圧力センサ１５をオフにしている。
【００３１】
図３は、ユーザーの呼吸と呼吸同調器の酸素供給との関係を示す図である。図３並びに後出する図４及び図６において、斜線で示す部分が酸素を供給する期間を示しており、グラフの縦軸は呼吸同調器１の前述した設定流量を示している。ヒトの呼吸は、通常、１分間に２０回程度行われる。また、吸気時間と呼気時間との比は、約１：２である。したがって、１分間に２０回の呼吸が行われると仮定すると、ヒトは、１秒間空気を吸って、続く２秒間で吸った空気を吐き出すという呼吸動作を１分間に２０回繰り返すことになる。ただ、吸気の終了間際に吸引した空気は肺まで到達しないことから、呼吸同調器１では、吸気時間の全区間において酸素を供給するのではなく、例えば、吸気時間の６５％の間だけ酸素を供給するようにしている。これにより、酸素を有効利用することができる。図３において、１回の酸素供給時間ｔｂと、ユーザーの吸気時間ｔａとは、ｔｂ＝０．６５×ｔａの関係である。
【００３２】
通常時には、図３に示されるようなタイミングでユーザーの呼吸に同調して当該ユーザーへ酸素が供給される。しかし、前述した例（１）〜（３）等の場合は、ユーザーに対し断続的にではあるが酸素を供給することができない。
図４は、呼吸同調器１による酸素供給の一例を示す模式図であり、圧力センサ１５によりユーザーの呼吸を検知することができず、その結果、ユーザーの呼吸に同調した酸素供給が行われない場合を示している。前述した例（１）のカニューラ装着の不備や、例（３）の口呼吸が、検知不可の原因となる。
【００３３】
図４において、横軸のＮｏ．１〜７はユーザーの呼吸の回数を示しており、符号ｔｎは１回目の呼吸における吸気開始から２回目の呼吸における吸気開始までの時間、すなわち１番目の呼吸間隔（呼吸間隔番号１）を示している。同様に、符号ｔｍは、３回目の呼吸における吸気開始から４回目の呼吸における吸気開始までの時間、すなわち３番目の呼吸間隔（呼吸間隔番号３）を示している。
【００３４】
図４に示される例では、３番目の呼吸間隔ｔｍが、他の呼吸間隔に比べてかなり長くなっており、同調不良が存在していたと考えることができる。図４において、符号ｃで示される部分は、圧力センサ１５で検知された３回目の呼吸と４回目の呼吸との間に存在していたであろう呼吸における吸気に対し供給されていたであろう酸素の供給期間を表している。ユーザーの鼻へのカニューラの装着状態が中途半端であり、圧力センサ１５によるユーザーの吸気が検知できない場合に、このような同調不良が発生する。また、図４において、符号ｄで示される期間は、直前の呼吸間隔、すなわち３番目の呼吸間隔が長いため、長くなった酸素供給期間を示している。
【００３５】
図５は、図４に示される例における呼吸間隔の変化を説明する図であり、３番目の呼吸間隔だけが突出して長くなっていることを示している。呼吸間隔は通常３秒間程度であることから、図４に示される例では、呼吸が１回検知できなかったものと考えられる。本実施形態では、一定以上の頻度（例えば、３回／分）でこのような呼吸間隔の変化ないし変動が発生したときに警報を発し、さらに一定以上の頻度（例えば、５回／分）でこのような呼吸間隔の変化ないし変動が続く場合に、後述するように酸素をパルス的にではなく連続して供給するようにしている。
【００３６】
図６は、呼吸同調器による酸素供給の他の例を示す模式図であり、運動時等においてユーザーの呼吸が乱れ、当該ユーザーの呼吸に対して適切な酸素が供給されていない場合を示している。前述した例（２）の呼吸間隔の乱れが、これに該当する。
図６において、横軸のＮｏ．１〜７はユーザーの呼吸の回数を示しており、符号ｔｎ、ｔｏ及びｔｐは、それぞれ１番目の呼吸間隔（呼吸間隔番号１）、３番目の呼吸間隔（呼吸間隔番号３）、及び４番目の呼吸間隔（呼吸間隔番号４）を示している。
【００３７】
図６に示される例において「ｔｎ」は通常の呼吸間隔を示しており、「ｔｏ」はこの「ｔｎ」よりも長く、また、「ｔｐ」はこの「ｔｎ」よりも短い。安静時においても呼吸間隔は変動するが、運動時において深呼吸をしたり、唾を飲み込んだりしたりすることで変動する場合、その変動の大きさは安静時に変動の大きさよりも大きい。したがって、呼吸間隔の変動を把握することで、呼吸が乱れている状態か否かを判断することができる。図６において、符号ｅで示される期間は、直前の呼吸間隔、すなわち３番目の呼吸間隔が長いため、長くなった酸素供給期間を示している。また、符号ｆで示される期間は、直前の呼吸間隔、すなわち４番目の呼吸間隔が短いため、短くなった酸素供給期間を示している。このため、呼吸回数Ｎｏ．５では、ユーザーは酸素が不足していると考えられる。
【００３８】
図７は、図６に示される例における呼吸間隔の変化を説明する図であり、３番目の呼吸間隔及び５番目の呼吸間隔が通常の呼吸間隔より長くなり、４番目の呼吸間隔が通常の呼吸間隔より短くなっていることがわかる。なお、図７において、縦軸は一定期間の呼吸間隔の平均値（１００％）を基準にした変動の大きさを示している。呼吸間隔の変動には、通常の呼吸間隔よりも所定値を超えて大きくなる場合と、所定値を超えて小さくなる場合とがある。
本実施形態では、一定以上の頻度（例えば、５回／分）でこのような呼吸間隔の変化ないし変動が発生したときに警報を発し、さらに一定以上の頻度（例えば、１０回／分）でこのような呼吸間隔の変化ないし変動が続く場合に、後述するように酸素をパルス的にではなく連続して供給するようにしている。
【００３９】
つぎに、本実施形態に係る呼吸同調器１の運転例を図８に示されるフローチャートに基づいて説明する。
まず、ステップＳ１において、制御部１２の判断部２３は、圧力センサ１５によりユーザーの呼吸の吸気が検知され、その検知信号を制御部１２が受信したか否かを判断する。ステップＳ１において、ユーザーの呼吸が検知されたと判断されると、ステップＳ２に処理を進め、当該ステップＳ２において判断部２３は、制御部１２の算出部２２において算出された呼吸間隔の変動が所定の閾値Ｂを超えたか否かを判断する。
【００４０】
ここで、閾値Ｂ、及び後出する閾値Ａについて、図９を参照しつつ説明する。閾値Ｂは、図６〜７に示したように、呼吸の乱れ等に起因して呼吸間隔が通常時のものよりも大きくなったり小さくなったりする場合を想定して設定される閾値である。このため、閾値Ｂは一定の幅を有しており、上限と下限とが存在している。一方、閾値Ａは、カニューラの装着不良や口呼吸等に起因してユーザーの吸気が検知されず、閾値Ｂの場合よりも大きく呼吸間隔が変動する場合を想定して設定される閾値である。
【００４１】
図９において、一点鎖線は当該ユーザーの通常の呼吸間隔（平均値）を示しており、破線は閾値Ａ又は閾値Ｂを示している。平均値としては、例えば直近の所定回数の平均値（移動平均）を用いることができる。通常の呼吸間隔を１００とすると、閾値Ｂは、例えば±３０とすることができ、また、閾値Ａは、例えば＋８０とすることができる。呼吸間隔が６０であれば、閾値Ｂの下限を超えたことになり、また、呼吸間隔が１９０であれば、閾値Ａ及び閾値Ｂの上限を超えたことになる。
【００４２】
図８に戻り、ステップＳ２において、ユーザーの呼吸間隔の変動が閾値Ｂを超えていないと判断部２３が判断すると、ステップＳ１４に処理を進め、呼吸同調器１は、同調モードにしたがってユーザーに酸素を供給する。
一方、ステップＳ２において、ユーザーの呼吸間隔の変動が閾値Ｂを超えていると判断すると、制御部１２は、ステップＳ３に処理を進め、当該ステップＳ３において、所定の単位時間、例えば１分間に閾値Ｂを超えた回数が所定の閾値Ｂ−１を超えたか否かを判断する。所定に閾値Ｂ−1としては、例えば５回／分とすることができる。
【００４３】
ステップＳ３において閾値Ｂ−１を超えていない場合は、ステップＳ１０に処理を進め、当該ステップＳ１０において、制御部１２は、ユーザーの呼吸間隔の変動が所定の閾値Ａを超えたか否かを判断する。一方、ステップＳ３において、閾値Ｂを超えた回数が閾値Ｂ−１を超えたと判断されると、ステップＳ４に処理を進め、当該ステップＳ４において制御部２は、閾値Ｂを超えた回数が所定の閾値Ｂ−２を超えたか否かを判断する。所定に閾値Ｂ−２としては、例えば１０回／分とすることができる。
【００４４】
ステップＳ４において、所定の閾値Ｂ−２を超えていないと判断されると、ステップＳ９に処理を進め、当該ステップＳ９において、制御部１２はエラー表示を実行する。エラー表示は、呼吸同調器１の表示部（図示せず）においてＬＥＤ１７を点灯させるか、又は、当該ＬＥＤ１７を点滅させることで行うことができる。また、ブザー１８を連続的に又は断続的に鳴らすことでエラー表示を行うこともできる。ＬＥＤ１７の点灯等によりユーザーに対し当該ユーザーの呼吸に同調して酸素供給が行われていないという警報を発することができる。本実施形態では、ＬＥＤ１７及びブザー１８は、呼吸同調器１の運転状態をユーザーに知らせる機能とともに、当該ユーザーに対して異常時の警報を発する警報部としての機能も有している。
【００４５】
ステップＳ４において、所定の閾値Ｂ−２を超えていると判断されると、ステップＳ５に処理を進め、当該ステップＳ５において、制御部１２はユーザーに対する酸素の供給方法を通常の同調モードから連続流モードに切り換える。この連続流モードでは、ユーザーの呼吸に関係なく、当該ユーザーに対して連続して酸素ボンベ２からの酸素が供給される。したがって、この連続流モードの間は、電磁弁１４は流量調整器１０とユーザーが装着するカニューラとの間を連通する状態に切り換えられる。換言すれば、連続流モードの間は、圧力センサ１５とユーザーが装着するカニューラとが連通する状態は遮断される。
【００４６】
酸素の供給を連続流モードにすることでユーザーに対して十分な酸素供給を行うことができる。一定の時間、ユーザーに対して連続的に酸素を供給することで当該ユーザーの呼吸状態は安定すると考えられることから、本実施形態では、続くステップＳ６において、連続流モードの状態が一定時間、例えば１分間経過したか否かを判断している。そして、ステップＳ６において、一定時間が経過していると判断されると、ステップＳ７に処理を進め、当該ステップＳ８において、制御部１２は、酸素の供給を停止し、更に続くステップＳ８において、エラー表示を停止させて、ステップＳ１に処理を戻す。そして、ステップＳ１でユーザーの呼吸が検知され、続くステップＳ２において、ステップＳ１で検知されたユーザーの吸気に基づいて得られる呼吸間隔が閾値Ｂを超えていないときは、通常の同調モードでユーザーに酸素が供給される（ステップＳ１４）。
【００４７】
ステップＳ３において、閾値Ｂを超えた回数が所定の閾値Ｂ−１を超えていないと判断されると、ステップＳ１０に処理を進め、当該ステップＳ１０において、制御部１２は、呼吸間隔の変動が所定の閾値Ａを超えたか否かを判断する。そして、ステップＳ１０において、所定の閾値Ａを超えていないと判断されると、ステップＳ１４に処理を進め、呼吸同調器１は、同調モードにしたがってユーザーに酸素を供給する。
一方、ステップＳ１０において、ユーザーの呼吸間隔の変動が閾値Ａを超えていると判断すると、制御部１２は、ステップＳ１１に処理を進め、当該ステップＳ１１において、所定の単位時間、例えば１分間に閾値Ａを超えた回数が所定の閾値Ａ−１を超えたか否かを判断する。所定の閾値Ａ−1としては、例えば３回／分とすることができる。
【００４８】
ステップＳ１１において、所定の閾値Ａ−１を超えていないと判断されると、ステップＳ１４に処理を進め、呼吸同調器１は、同調モードにしたがってユーザーに酸素を供給する。
一方、ステップＳ１１において、閾値Ａを超えた回数が閾値Ａ−１を超えたと判断されると、ステップＳ１２に処理を進め、当該ステップＳ１２において制御部２は、閾値Ａを超えた回数が所定の閾値Ａ−２を超えたか否かを判断する。所定の閾値Ａ−２としては、例えば５回／分とすることができる。
【００４９】
ステップＳ１２において、所定の閾値Ａ−２を超えていると判断されると、ステップＳ５に処理を進め、当該ステップＳ５において、前記と同様に、制御部１２はユーザーに対する酸素の供給方法を通常の同調モードから連続流モードに切り換える。
【００５０】
一方、ステップＳ１２において、所定の閾値Ａ−２を超えていないと判断されると、ステップＳ１３に処理を進め、当該ステップＳ１３において、制御部１２は、前記と同様にしてエラー表示を実行する。エラー表示は、呼吸同調器１の表示部（図示せず）においてＬＥＤ１７を点灯させるか、又は、当該ＬＥＤ１７を点滅させることで行うことができる。また、ブザー１８を連続的に又は断続的に鳴らすことでエラー表示を行うこともできる。
エラー表示後、制御部１２は、ステップＳ１４に処理を進め、呼吸同調器１は、同調モードにしたがってユーザーに酸素を供給する。
【００５１】
〔その他の変形例〕
本開示は前述した実施形態に限定されるものではなく、特許請求の範囲内において種々の変更が可能である。
例えば、前述した実施形態では、電磁弁１４を切り換えることで、ユーザーへの酸素の供給状態を同調モードから連続流モードに切り換えているが、他の方法でもモードの切り換えを行うことができる。例えば、図１０に示されるように、手動のメカニカルバルブ１１に代えて、電磁石による作動及び手動が可能なバルブ３１を採用することで、モードの切り換えを行うことができる。この場合、同調モードでは、このバルブ３１は閉の状態であり、電磁弁１４を経由して酸素がユーザーに供給される。そして、前述したフローチャートにあるように、ユーザーの呼吸間隔が変動して当該ユーザーに酸素が十分に供給されていないと判断されると、電磁弁１４を閉状態とし、バルブ３１に設けられている電磁石で当該バルブ３１を開状態にする。流量調整器１０を通過した酸素は当該バルブ３１を経由して連続的にユーザーに供給される。一定時間、連続的にユーザーに酸素を供給した後、バルブ３１に制御部１２から電気的な信号を送信して当該バルブ３１を閉状態にし、電磁弁１４の操作でユーザーの呼吸に同調して酸素を供給する同調モードに戻す。なお、図１０に示される実施形態おいて、図１に示される実施形態と同一の要素又は構成には、同一の参照符号を付しており、簡単のため、それらについての説明は省略する。
【００５２】
また、前述した実施形態では、ユーザーに供給する酸素の流量を所定流量に設定するための流量調整器を呼吸同調器に設けているが、この流量調整器は、図１１に示されるように、酸素ボンベに付設することもできる。なお、図１１に示される実施形態おいて、図１に示される実施形態と同一の要素又は構成には、同一の参照符号を付しており、簡単のため、それらについての説明は省略する。
【符号の説明】
【００５３】
１  ：  呼吸同調器
２  ：  酸素ボンベ
３  ：  酸素取入口
４  ：  酸素取出口
５  ：  接続具
６  ：  減圧弁
７  ：  チューブ
８  ：  カニューラ
９  ：  接続具
１０  ：  流量調整器
１１  ：  メカニカルバルブ
１２  ：  制御部
１３  ：  乾電池
１４  ：  電磁弁
１５  ：  圧力センサ
１６  ：  リリーフ弁
１７  ：  ＬＥＤ
１８  ：  ブザー
２１  ：  駆動制御部
２２  ：  算出部
２３  ：  判断部
【図１】
2019213661.tif 000003
【図２】
2019213661.tif 000004
【図３】
2019213661.tif 000005
【図４】
2019213661.tif 000006
【図５】
2019213661.tif 000007
【図６】
2019213661.tif 000008
【図７】
2019213661.tif 000009
【図８】
2019213661.tif 000010
【図９】
2019213661.tif 000011
【図１０】
2019213661.tif 000012
【図１１】
2019213661.tif 000013